(57)【特許請求の範囲】
【請求項１】
互いに異なる単位で時刻を指し示し、かつ、それぞれ同軸で回転する第１および第２の時刻針と、
前記第１の時刻針に対応し、当該第１の時刻針が示す時刻単位で変動する第１の情報を取得する第１の情報取得手段と、
前記第２の時刻針に対応し、当該第２の時刻針が示す時刻単位で変動する第２の情報を取得する第２の情報取得手段と、
前記第１の情報を、前記第１の時刻針の先端が描く円軌跡の内側に設けられる円状の第１の表示領域に表示する第１の情報表示手段と、
前記第２の情報を、前記第１の表示領域の外側に設けられる第２の表示領域に表示する第２の情報表示手段と
を備える
ことを特徴とする情報表示装置。
【請求項２】
前記第１の情報と前記第２の情報とは同一のカテゴリに含まれる
ことを特徴とする請求項１に記載の情報表示装置。
【請求項３】
前記第２の情報は、前記第１の情報よりも詳細である
ことを特徴とする請求項２に記載の情報表示装置。
【請求項４】
前記第１の情報と前記第２の情報とは、互いに異なる形態で表示される
ことを特徴とする請求項３に記載の情報表示装置。
【請求項５】
表示部と、
前記第１および第２の時刻針を有するアナログ時計画像と、前記第１の表示領域に前記第１の情報が重畳し、前記第２の表示領域に前記第２の情報が重畳する情報画像とを生成し、前記表示部に表示する制御部と、
を備えることを特徴とする請求項１から４のいずれか一つに記載の情報表示装置。
【請求項６】
前記第１の時刻針は時針、前記第２の時刻針は分針であり、
前記時針および前記分針によりアナログ表示される現時刻に対して過去と未来とを視覚的に識別可能な識別手段をさらに備える
ことを特徴とする請求項１から５のいずれか一つに記載の情報表示装置。
【請求項７】
互いに異なる時間単位で時刻を指し示し、かつ、それぞれ同軸で回転する第１および第２の時刻針を有するアナログ時計に向けて所定の情報画像を投射するプロジェクタ装置であって、
前記第1の時刻針に対応し、当該第１の時刻針が示す時刻単位で変動する第１の情報を取得する第１の情報取得部と、
前記第２の時刻針に対応し、当該第２の時刻針が示す時刻単位で変動する第２の情報を取得する第２の情報取得部と、
前記第１の時刻針の先端が描く円軌跡の内側に設けられる円状の第１の表示領域に投影される、前記第１の情報に対応する第１の情報画像と、前記第１の表示領域の外側に設けられる第２の表示領域に投影される、前記第２の情報に対応する第２の情報画像とを含む情報画像を生成する画像生成部と、
前記画像生成部で生成した前記情報画像を前記アナログ時計に向けて投射可能な投射部と
を備える
ことを特徴とするプロジェクタ装置。
【請求項８】
コンピュータが実行する情報表示方法であって、
互いに異なる時間単位で時刻を指し示し、かつ、それぞれ同軸で回転する第１および第２の時刻針を表示する工程と、
前記第１の時刻針に関連付けられ、当該第１の時刻針が示す時刻単位で変動する第１の情報を、前記第１の時刻針の先端が描く円軌跡の内側に設けられる円状の第１の表示領域に表示する工程と、
前記第２の時刻針に関連付けられ、当該第２の時刻針が示す時刻単位で変動する第２の情報を、前記第１の表示領域の外側に設けられる第２の表示領域に表示する工程と
を含む
ことを特徴とする情報表示方法。
【請求項９】
コンピュータに、
互いに異なる時間単位で時刻を指し示し、かつ、それぞれ同軸で回転する第１および第２の時刻針を表示する手順と、
前記第１の時刻針に関連付けられ、当該第１の時刻針が示す時刻単位で変動する第１の情報を、前記第１の時刻針の先端が描く円軌跡の内側に設けられる円状の第１の表示領域に表示する手順と、
前記第２の時刻針に関連付けられ、当該第２の時刻針が示す時刻単位で変動する第２の情報を、前記第１の表示領域の外側に設けられる第２の表示領域に表示する手順と
を実行させる
ことを特徴とする情報表示プログラム。
【発明の詳細な説明】
【技術分野】
【０００１】
本発明は、情報表示装置、プロジェクタ装置、および情報表示方法、および情報表示プログラムに関する。
【背景技術】
【０００２】
従来、時刻に関連する情報を直感的に認識することができるように、所定の情報を針式のアナログ時計と組み合わせて表示する技術が知られている。例えば、列車などの発車時刻を、針式のアナログ時計の文字盤周りに表示するものがある（例えば、特許文献１を参照）。
【先行技術文献】
【特許文献】
【０００３】
【特許文献１】特開２０１４−７６７８２号公報
【発明の概要】
【発明が解決しようとする課題】
【０００４】
しかしながら、従来の技術は、あくまでも、時刻関連情報である列車の発車時刻を、アナログ時計の分針に関連させて表示するだけにとどまっていた。これでは、時刻関連情報を直感的に認識できるとはいえ、情報発信力に限界がある。
【０００５】
本願は、上記に鑑みてなされたものであって、情報発信力をより向上させることのできる情報表示装置、プロジェクタ装置、および情報表示方法、および情報表示プログラムを提供することを目的とする。
【課題を解決するための手段】
【０００６】
本願に係る情報表示装置は、第１および第２の時刻針と、第１および第２の情報取得手段と、第１および第２の情報表示手段とを備える。第１および第２の時刻針は、互いに異なる単位で時刻を指し示し、かつ、それぞれ同軸で回転する。第１の情報取得手段は、前記第１の時刻針に対応し、当該第１の時刻針が示す時刻単位で変動する第１の情報を取得する。第２の情報取得手段は、前記第２の時刻針に対応し、当該第２の時刻針が示す時刻単位で変動する第２の情報を取得する。第１の情報表示手段は、前記第１の情報を、前記第１の時刻針の先端が描く円軌跡の内側に設けられる円状の第１の表示領域に表示する。第２の情報表示手段は、前記第２の情報を、前記第１の表示領域の外側に設けられる第２の表示領域に表示する。
【発明の効果】
【０００７】
実施形態の一態様によれば、情報発信力を、より向上させることのできる情報表示装置、プロジェクタ装置、および情報表示方法、および情報表示プログラムを提供することができる。
【図面の簡単な説明】
【０００８】
【図１】図１は、実施形態に係る情報表示装置による情報表示態様の一例を示す説明図である。
【図２】図２は、実施形態に係る情報表示装置における情報表示の概要の一例を示す説明図である。
【図３Ａ】図３Ａは、実施形態に係る情報表示装置の機能的な構成の一例を示す説明図である。
【図３Ｂ】図３Ｂは、実施形態に係る情報表示装置の機能的な構成の他の例を示す説明図である。
【図４】図４は、表示部一体型の情報表示装置の機能的な構成の一例を示す説明図である。
【図５】図５は、実施形態に係るプロジェクタ装置の機能的な構成の一例を示す説明図である。
【図６】図６は、実施形態に係るプロジェクタ装置による情報表示態様の一例を示す説明図である。
【図７】図７は、実施形態に係る情報表示装置における情報表示処理の一例を示すフローチャートである。
【図８】図８は、情報表示装置による情報表示態様の一例を示す説明図である。
【図９】図９は、情報表示装置による情報表示態様の一例を示す説明図である。
【図１０】図１０は、情報表示装置による情報表示態様の一例を示す説明図である。
【図１１】図１１は、他の実施形態に係る情報表示装置による情報表示態様の一例を示す説明図である。
【図１２】図１２は、他の実施形態に係る情報表示装置による情報表示態様の一例を示す説明図である。
【図１３】図１３は、情報表示装置の機能を実現するコンピュータの一例を示すハードウェア構成図である。
【発明を実施するための形態】
【０００９】
以下に、本願に係る情報表示装置、プロジェクタ装置、および情報表示方法を実施するための形態（以下、「実施形態」と呼ぶ）について説明する。なお、この実施形態により本願に係る情報表示装置、プロジェクタ装置、および情報表示方法が限定されるものではない。また、以下の各実施形態において同一の部位には同一の符号を付し、重複する説明は省略される。
【００１０】
［１．情報表示装置の概要］
以下、実施形態に係る情報表示装置の概要について説明する。実施形態に係る情報表示装置は、例えば、それぞれ同軸で回転する時針と分針を備えるアナログ時計上に、時針に対応する情報を時針に対応する領域に、分針に対応する情報を分針に対応する領域にそれぞれ独立して表示できるようにしたものである。このように、時刻に関連する複数の情報が、時針と分針とにそれぞれ対応して、各針の進行方向に沿ってアナログ的に表示されるため、時間の経過や進行との関連を直感的に認識することができる。
【００１１】
アナログ時計は、動力が機械式や電気式の時計であってもよいし、アナログ時計機能を液晶画面などに画像表示したものであってもよい。すなわち、情報表示装置としては、詳しくは後述するが、例えば、一般的な壁掛式のアナログ時計に向けて情報画像を投射するプロジェクタタイプのものや、アナログ時計を画像表示する表示装置が別体であるもの、かかる表示装置を一体的に備えるものなどがある。
【００１２】
以下、実施形態に係る情報表示装置について、図面を参照しながらより具体的に説明する。図１は、実施形態に係る情報表示装置による情報表示態様の一例を示す説明図、図２は、実施形態に係る情報表示装置における情報表示の概要の一例を示す説明図である。
【００１３】
図１に示すように、情報表示装置によれば、第１の時刻針としての時針１１、および第２の時刻針としての分針１２を有するアナログ時計１を視認することができる。そして、アナログ時計１に相当する部分とその周囲に位置する部分にかけて情報表示領域２が視認可能となっている。ここで、情報表示領域２には、時針１１に対応する第１の表示領域２１と、分針１２に対応する第２の表示領域２２とが含まれる。そして、時針１１に対応する第１の表示領域２１上に、これも時針１１に対応する第１の情報３１が重畳表示される。一方、分針１２に対応する第２の表示領域２２上には、やはり分針１２に対応する第２の情報３２が重畳表示される。
【００１４】
なお、図１に示した例においては、第１の表示領域２１は円状に、第２の表示領域２２はドーナツ状に表示される。また、第１の情報３１および第２の情報３２は、例えば、ネットワーク通信網などを介して取得することができる。
【００１５】
図１に示した例では、時針１１に対応する第１の情報３１は、時間毎に示される天気予報の情報であり、情報を直感的に認識できるように、太陽、星、雲、雨などのようにピクトグラム化されて表示される。分針１２に対応する第２の情報３２は、同じカテゴリに属するもので、やはり天気に関する情報ではあるが、第１の情報３１よりも細かい情報、例えば、気温、降水確率などがテキスト表示される。
【００１６】
このように、第１の情報３１と第２の情報３２とは、互いに異なる形態で表示されるため、識別性および視認性が向上する。なお、情報の表示形態としては、上記の例の他、記号や符号などを適宜用いることができる。
【００１７】
このように、実施形態に係る情報表示装置は、第１の情報３１を取得する第１の情報取得手段と、第２の情報３２を取得する第２の情報取得手段を備えることになる。また、情報表示装置は、第１の情報３１を時針１１に対応する第１の表示領域２１に表示する第１の情報表示手段と、第２の情報３２を、分針１２に対応する第２の表示領域２２に表示する第２の情報表示手段を備えることになる。
【００１８】
図１に示した例で表示された第１の情報３１によれば、現在時刻は１６時、天気は曇り（雲の図柄で表示）であることが分かる。そして、天気予報によれば、徐々に雲が多くなり、２０時頃には雨が降り出し（雨の図柄で表示）、２１〜２２時には雨量が増加しそうであることも分かる（雨を示す縦線が増加した図柄で表示）。２３時頃から天気は回復し、午前１時頃からは晴天（星の図柄で表示）になると予測される。
【００１９】
他方、分針１２に対応する第２の情報３２からは、現在の気温２７度で、徐々に気温が下がり、雨の予報である２０時以降は２２度〜２１度になり、夜中には２０度〜１９度になると予想されることが分かる。また、降水確率も現在の２０％から徐々に高くなり、雨の予報である２０時〜２２時は８０〜９０％であることが示される。
【００２０】
また、天気予報が雨の場合、降水量が気になることが多い。そこで、図１に示すように、例えば第２の情報３２の中に、他の第２情報３２よりも強調表示された強調情報３３を表示することもできる。ここでは、第１の情報３１で雨の予報を示す情報がなされた時間帯において、降水雨量の情報が強調情報３３として表示されている。なお、強調情報３３としては、第２の情報３２のみに限らず、第１の情報３１に設定してもよい。また、強調表示の態様として、図１に示す例では矩形枠で囲み表示したが、色を変えたりするなど、適宜設定可能である。
【００２１】
なお、上述した例では、第２の時刻針（分針１２）に対応する第２の情報３２を、第１の時刻針（時針１１）に対応する第１の情報３１と同カテゴリで、なおかつ第１の情報３１よりも細かい情報として説明した。しかし、分針１２に対応する第２の情報３２としては、あくまでも分単位で変動する情報を表示することもできる。
【００２２】
例えば、図１に示す例（現在時刻：１６時）において、第２の表示領域２２に「ゲリラ豪雨発生予測時刻−１６：１５〜１６：３５」と表示したり、あるいは、地震などが発生した場合には、「津波到達予測時刻−１６：５０」などと表示したりすることができる。かかる第２の情報３２であれば、同じ天気のカテゴリに属する情報であって、なおかつ分針１２に対して時間的にも対応する情報となり、視覚的にも認識し易くなる。
【００２３】
ところで、図１に示すように、本実施形態における第１の情報３１が重畳表示される第１の表示領域２１は、時針１１の先端が描く円軌跡の内側に設けられ、第２の情報３２が重畳表示される第２の表示領域２２は、第１の表示領域２１の外側に設けられる。なお、第１の表示領域２１を規定する時針１１の先端が描く円軌跡の内側とは、図示するように、アナログ時計１の外縁１ａの内側をも含む概念である。そして、図１に示す例では、第２の表示領域２２は、アナログ時計１の外縁１ａの外側において、第１の表示領域２１と同心円的に環帯状に表示される。
【００２４】
また、アナログ時計１は、過去から未来までが連続表示されることになる。そのため、たとえば、図１に示すように、現時刻が１６時（あるいは４時）である場合、時針１１が１４時（あるいは２時）を示す目盛の位置の情報は、２時間前なのか、あるいは１０時間後なのか認識し難い。
【００２５】
そこで、第１の表示領域２１内において、現時刻を境にして過去と未来とを区分するための境界を視認できるようにすることが望ましい。ここでは、図示するように、時針１１が現時刻である１６時を示す目盛から６０度分だけ反時計回りさせた目盛（ここでは１４時を示す目盛）までの領域に境界領域２３（網目で示す）を設けている。かかる境界領域２３は、視覚的に識別しやすいように、隣接する領域と色などを異ならせている。
【００２６】
このように、実施形態に係る情報表示装置によれば、複数の時刻関連情報を直感的に認識することができる。
【００２７】
また、ここでは、第１の情報３１と第２の情報３２とを同じカテゴリに含まれるものとして、同一カテゴリの情報を異なった切り口から把握することが可能となっている。しかし、もちろん、情報のカテゴリとしては第１の情報３１と第２の情報３２とで異ならせても構わない。また、情報としては天気予報に限るものではなく、様々なカテゴリの情報を時刻関連情報として時針１１および分針１２に関連付けて表示することが可能である。
【００２８】
図１に示すような情報の表示は、以下の手順によってなされる。すなわち、図２に示すように、情報表示装置は、先ず、現在時刻を示す時刻情報を取得する（Ｓ１）。次に、時刻に応じた情報を取得する（Ｓ２）。図１に示す例では、天気予報に関する情報である。そして、例えば、液晶画面などで情報表示するものであれば、時刻に応じた時刻針を表示する（Ｓ３）。図１に示す例では、時針１１と分針１２を表示する。次いで、時刻に応じた第１の情報３１を表示し（Ｓ４）、さらに時刻に応じた第２の情報３２を表示する（Ｓ５）。なお、図２に示した手順は一例であって、順序がこれに限定されるものではない。
【００２９】
図１および図２に示した例から、実施形態に係る情報表示装置は、互いに異なる単位で時刻を指し示し、かつ、それぞれ同軸で回転する第１の時刻針および第２の時刻針（時針１１および分針１２）を備える。また、情報表示装置は、第１の時刻針（時針１１）に対応する第１の情報３１を取得する第１の情報取得手段と、第２の時刻針（分針１２）に対応する第２の情報３２を取得する第２の情報取得手段とを備える。さらに、情報表示装置は、第１の情報３１を、第１の時刻針（時針１１）に対応する第１の表示領域２１に表示する第１の情報表示手段と、第２の情報３２を、第２の時刻針（分針１２）に対応する第２の表示領域２２に表示する第２の情報表示手段とを備える。
【００３０】
［２．情報表示装置の構成］
次に、上述した情報表示を行う情報表示装置の具体的な構成について説明する。図３Ａは、実施形態に係る情報表示装置の機能的な構成の一例を示す説明図、図３Ｂは、同情報表示装置の機能的な構成の他の例を示す説明図である。また、図４は、表示部一体型の情報表示装置の機能的な構成の一例を示す説明図である。そして、図５は、実施形態に係るプロジェクタ装置の機能的な構成の一例を示す説明図である。
【００３１】
先ず、表示装置５と別体に構成された情報表示装置４について、図３Ａを用いて説明する。図３Ａに示すように、実施形態に係る情報表示装置４は、例えば液晶画面などを有する適宜の表示装置５と電気的に接続している。なお、表示装置５としては、例えば、ディスプレイ、テレビや、ＰＣ（Personal  Computer）、ＰＤＡ（Personal  Digital  Assistant）、スマートフォンなどの端末装置などを用いることができる。ここで、情報表示装置４と表示装置５との電気的な接続は、有線であっても無線であっても構わない。
【００３２】
また、情報表示装置４は、制御部４１と、記憶部４２とを有する。制御部４１は、情報表示装置４を制御するデバイスであり、表示装置５への情報画像などのデータ送信などを含む表示制御処理を行う。なお、制御部４１は、例えば、ＡＳＩＣ（Application  Specific  Integrated  Circuit）やＦＰＧＡ（Field  Programmable  Gate  Array）等の集積回路により実現される。
【００３３】
記憶部４２は、各種情報を記憶するデバイスである。例えば、記憶部４２としては、ＲＡＭ（Random  Access  Memory）、フラッシュメモリなどの半導体メモリ素子や、ハードディスク、光ディスクなどの記憶装置が挙げられる。記憶部４２は、制御部４１で実行されるＯＳ（Operating  System）や表示制御プログラムなどの各種のプログラム４２１を記憶する。さらに、記憶部４２は、アナログ時計１の形状などを示す様々なデータや、第１の情報３１や第２の情報３２などを画像表示するための各種ピクトグラムなどが格納された画像データ４２２を有する。
【００３４】
制御部４１は、内部のＣＰＵ（Central  Processing  Unit）またはＭＰＵ（Micro  Processing  Unit）によって、表示制御プログラムなどのプログラム４２１がＲＡＭを作業領域として実行されることによって、各種の機能部としての役割を果たす。例えば、制御部４１は、表示制御用のプログラム４２１がＲＡＭを作業領域として実行されることにより、表示制御部４１１、第１情報取得部４１２ａ、第２情報取得部４１２ｂとして機能する。
【００３５】
なお、本実施形態における表示制御部４１１は、第１の情報表示手段および第２の情報表示手段に相当する。また、第１情報取得部４１２ａは第１の情報取得手段に、第２情報取得部４１２ｂは第２の情報取得手段に相当する。かかる表示制御部４１１により、例えば、第１の情報３１と第２の情報３２とについて、テキスト表示にするか、あるいは適当なピクトグラムを用いるかなども決定し、例えば両者で互いに異なる形態で表示することができる。
【００３６】
なお、第１、第２情報取得部４１２ａ、４１２ｂは、通信ネットワーク６との間で情報の送受信を行う通信インターフェースを備える。情報表示装置４は、インターネットなどの通信ネットワーク６を介して各種の情報を得ることができる。例えば、第１情報取得部４１２ａは、時針１１に対応する第１の情報３１を受信し、第２情報取得部４１２ｂは、分針１２に対応する第２の情報３２を受信する。また、第１情報取得部４１２ａおよび第２情報取得部４１２ｂのうち、少なくともいずれか一方は時刻情報を受信することができる。
【００３７】
図３Ｂに示す情報表示装置４は、基本的な構成は図３Ａに示したものと同じである。異なる点は、図３Ａに示した情報表示装置４では、第１、第２情報取得部４１２ａ、４１２ｂは、第１、第２の情報３１，３２を通信ネットワーク６を介して取得したが、ここでは、各種の記録媒体９８から取得するようにしている（図１３を参照）。
【００３８】
上述した構成により、情報表示装置４は、第１、第２情報取得部４１２ａ、４１２ｂによって第１、第２の情報３１，３２を取得する。そして、表示制御部４１１により、時針１１および分針１２を有し、アナログ時計１として機能するアナログ時計画像を生成する。さらに、第１の表示領域２１に第１の情報３１が重畳し、第２の表示領域２２に第２の情報３２が重畳する情報画像を生成する。そして、これらのアナログ時計画像および情報画像を合成して表示装置５に表示する。
【００３９】
次に、図４に示す表示部一体型の情報表示装置４について説明する。この情報表示装置４は、図示するように、表示部５０が一体的に組み込まれており、例えば、壁掛け式の時計型筐体（図示せず）の前面に、液晶画面などを有する表示部５０が設けられて構成される。制御部４１や記憶部４２などの構成は、上述したものと略同じである。
【００４０】
こうして、表示装置５や表示部５０には、例えば、図１に示した態様で、アナログ時計１と、時針１１に対応する第１の表示領域２１上に重畳表示された第１の情報３１、分針１２に対応する第２の表示領域２２上に重畳表示された第２の情報３２が表示される。
【００４１】
このように、例えば、表示部５０を、制御部４１や記憶部４２などと一つの筐体に一体的に組み込んだ場合、スタンドアローンでの利用で、複数の時刻関連情報を簡便に得ることができる。
【００４２】
次に、図５に示すプロジェクタタイプの情報表示装置として機能するプロジェクタ装置７について説明する。プロジェクタ装置７は、アナログ時計１に向けて所定の情報画像を投射することができる（図６を参照）。アナログ時計１は、前述したように、互いに異なる時間単位で時刻を指し示し、かつ、それぞれ同軸で回転する第１および第２の時刻針、すなわち、時針１１および分針１２を有する。ここでは、例えば壁掛け式のアナログ時計１とする。
【００４３】
また、プロジェクタ装置７は、制御部７１と、記憶部７２とを有する。制御部７１は、情報表示装置４を制御するデバイスであり、情報画像３００（図６を参照）を生成するとともに、生成した情報画像３００を投射部７０に投射させる処理を行う。なお、制御部７１は、例えば、ＡＳＩＣ（Application  Specific  Integrated  Circuit）やＦＰＧＡ（Field  Programmable  Gate  Array）等の集積回路により実現される。
【００４４】
記憶部７２は、各種情報を記憶するデバイスであり、上述の情報表示装置４が備える記憶部４１と基本的な構成は同様である。すなわち、記憶部４２としては、ＲＡＭ（Random  Access  Memory）、フラッシュメモリなどの半導体メモリ素子や、ハードディスク、光ディスクなどの記憶装置が挙げられる。記憶部４２は、制御部７１で実行されるＯＳ（Operating  System）や投影プログラムや表示処理プログラムなどの各種のプログラム７２１を記憶する。さらに、記憶部７２は、アナログ時計１の形状などを示す様々なデータや、第１の情報３１や第２の情報３２などを画像表示するための各種ピクトグラムなどが格納された画像データ７２２を有する。
【００４５】
制御部７１は、内部のＣＰＵ（Central  Processing  Unit）またはＭＰＵ（Micro  Processing  Unit）によって、必要なプログラム７２１がＲＡＭを作業領域として実行されることによって、各種の機能部としての役割を果たす。例えば、制御部７１は、画像生成部７１１、第１情報取得部７１２ａ、第２情報取得部７１２ｂとして機能する。
【００４６】
画像生成部７１１は、時針１１に対応する第１の表示領域２１に投影される第１の情報画像と、分針１２に対応する第２の表示領域２２に投影される第２の情報画像とを含む情報画像３００（図６を参照）を生成する。
【００４７】
第１の情報取得部７１２ａは、時針１１に対応する第１の情報３１を取得し、第２の情報取得部７１２ｂは、分針１２に対応する第２の情報３２を取得する。これらは、図示は省略したが、上述してきた情報表示装置４と同じように、第１、第２の情報３１，３２を通信ネットワーク６を介して、あるいは各種の記憶媒体９８から取得することができる。
【００４８】
また、プロジェクタ装置７は、画像生成部７１１で生成した情報画像３００をアナログ時計１に向けて投射可能な投射部７０を備える。この投射部７０は、周知のプロジェクタに備えられた機構で構わない。
【００４９】
かかるプロジェクタ装置７で投射された情報画像３００について、図６を用いて説明する。図６は、プロジェクタ装置７による情報表示態様の一例を示す説明図である。図示するように、壁面１００に取付けられたアナログ時計１に向けて、所定位置に設置されたプロジェクタ装置７から情報画像３００が投射される。プロジェクタ装置７は、情報画像３００が明瞭に視認できるように位置調整されて設置される。
【００５０】
情報画像３００は、図１に示した表示態様と同様に、アナログ時計１の盤面上において、時針１１に対応する第１の表示領域２１が投射されるとともに、第１の表示領域２１には、第１の情報３１が表示される。他方、アナログ時計１の盤面外であって、アナログ時計１の外縁１ａの外側の壁面１００には、分針１２に対応する第２の表示領域２２が投射されるとともに、第２の表示領域２２には、第２の情報３２が表示される。なお、ここでも、第１の表示領域２１には、境界領域２３（網目で示す）が表示され、過去と未来との区別がつきやすくなっている。この例では、現時刻がおよそ１４時であるため、時針１１が現時刻である２時を指し示す目盛から６０度分だけ反時計回りさせた零時に対応する目盛までを境界領域２３としている。
【００５１】
ところで、上述したプロジェクタ装置７に代えて、所定の情報表示用のアプリケーションプログラム（以下、情報表示アプリとする）を用いることで、汎用のプロジェクタ（不図示）に同様の機能を付与することができる。
【００５２】
その場合の情報表示アプリは、例えば、プロジェクタに以下の手順を実行させる。すなわち、互いに異なる時間単位で時刻を指し示し、かつ、それぞれ同軸で回転する時針１１（第１の時刻針）および分針１２（第２の時刻針）を表示する手順と、時針１１に関連付けられた第１の情報３１を表示する手順と、分針１２に関連付けられた第２の情報３２を表示する手順とを実行させる。
【００５３】
このように、プロジェクタ装置７は、ディスプレイなどの表示装置が不要であり、一般家屋の壁面１００などをスクリーンとして、時刻に関連する複数の情報を表示することができる。なお、本実施形態では、アナログ時計１を機械式、電機式の壁掛け時計とし、投射する情報画像３００には、第１、第２の表示領域２１，２２および第１、第２の情報３１，３２を含む構成とした。しかし、壁掛け時計を使用せずに、アナログ時計１の機能を有するアナログ時計画像を情報画像３００に含ませる構成としてもよい。
【００５４】
［３．情報表示制御の一例］
ここで、実施形態に係る情報表示装置４の情報表示処理の流れについて説明する。図７は、実施形態に係る情報表示装置４における情報表示処理の一例を示すフローチャートである。かかる情報表示処理の動作は、例えば、情報表示装置４の制御部４１、プロジェクタ装置７の制御部７１において繰り返し実行される処理である。
【００５５】
図７に示すように、情報表示装置４の制御部４１は、表示処理開始信号が入力されるまで待機しており（ステップＳ１０１：Ｎｏ）、表示処理開始信号を受け付けると（ステップＳ１０１：Ｙｅｓ）、先ず、現時刻情報を取得する（ステップＳ１０２）。なお、表示処理開始信号は、例えば、情報表示装置４が備える起動スイッチなどの操作により生成される。
【００５６】
次いで、制御部４１は、生成したアナログ時計画像の第１の時刻針である時針１１および第２の時刻針である分針１２を、ステップＳ１０２で取得した現時刻情報に応じて更新する（ステップＳ１０３）。次いで、制御部４１は、時針１１（第１の時刻針）に対応する第１の表示領域２１を示す画像を生成する（ステップＳ１０４）とともに、分針１２（第２の時刻針）に対応する第２の表示領域２２を示す画像を生成する（ステップＳ１０５）。
【００５７】
続いて制御部４１は、現時刻に対する第１の情報３１を取得するとともに（ステップＳ１０６）、現時刻に対する第２の情報３２を取得する（ステップＳ１０７）。続いて制御部４１は、第１、第２の情報を示す画像を生成する（ステップＳ１０８）。
【００５８】
次いで、制御部４１は、ステップＳ１０８において生成した第１の情報３１を示す画像を、ステップＳ１０４で生成した第１の表示領域２１を示す画像に重畳する（ステップＳ１０９）。さらに制御部４１は、ステップＳ１０８において生成した第２の情報３２を示す画像を、ステップＳ１０５で生成した第２の表示領域２１を示す画像に重畳する（ステップＳ１１０）。
【００５９】
そして、制御部４１は、ステップＳ１１１において、表示処理終了信号が入力されるまでステップＳ１０２〜ステップＳ１１０の処理を繰り返す（ステップＳ１１１：Ｎｏ）。そして、表示処理終了信号が入力されたと判定すると（ステップＳ１１１：Ｙｅｓ）、制御部４１は、情報表示処理を終了する。
【００６０】
上述の処理において、表示処理開始信号や表示処理終了信号の入力受付（ステップＳ１０１、ステップＳ１１１を参照）については、起動スイッチなどの操作ではなく、例えば、音声に反応してオン・オフする音声スイッチなどによるものとしてもよい。
【００６１】
上述してきたことから、本実施形態に係る情報表示方法は、少なくとも、以下の第１の工程〜第３の工程を有することが分かる。すなわち、第１の工程は、互いに異なる時間単位で時刻を指し示し、かつ、それぞれ同軸で回転する時針１１および分針１２を表示する工程である。第２の工程は、時針１１に関連付けられた第１の情報３１を表示する工程である。第３の工程は、分針１２に関連付けられた第２の情報３２を表示する工程である。
【００６２】
［４．情報画像の変形例］
ところで、第１の表示領域２１に表示される第１の情報３１、第２の表示領域２２に表示される第２の情報３２を含む情報画像は、上述してきた例に限定されるものではない。以下、情報画像の変形例について、図面を参照しながら説明する。図８〜図１０は、それぞれ情報表示装置による情報表示態様の一例を示す説明図である。
【００６３】
図８に示す例は、第１の情報３１をスケジュール、第２の情報３２を、利用駅における電車の発車時刻としたものである。第２の情報３２となる電車の発車時刻は、現在時刻（ここでは８時）を含む１時間の時間帯の範囲で示される。すなわち、電車の発車時刻は、すべて８時台のもので、分針１２に対応して表示される。
【００６４】
図８に示す例であれば、８時台には、３分、１０分、２０分、２５分、３５分、４５分発の６本の電車があることが分かる。各電車の発車時刻間は、時間に応じた距離があけられて表示されるため、どの程度の待ち時間となるかなども認識しやすい。そして、例えば、始業が９時の会社員であって、通勤時間が３０分とした場合、現在時刻が８時００分のため、遅くとも２５分発の電車に乗ればよいことなども直感的に認識することができる。
【００６５】
なお、時針１１に対応する第１の情報３１が利用者のスケジュールであれば、分針１２に対応する第２の情報３２は、第１の情報３１であるスケジュールと関連した情報とすることもできる。
【００６６】
例えば、１８時からは買物の予定になっているが、時刻が１８時になると、第２の表示領域２２には、買物リストや特売情報などが表示されるようにしてもよい。
【００６７】
次に、図９に示す情報画像について説明する。ここでは、第１の情報３１および第２の情報３２を、丸の記号や三角の記号で代用して表しているが、ピクトグラムやアイコンなどの図柄、あるいは記号やテキストなどの適宜の態様で表示可能である。
【００６８】
時針１１や分針１２に対応して表示される第１の情報３１や第２の情報３２の数が多い場合がある。その場合、図示するように、ずらし重ねした状態で複数の情報を略同位置に表示するとともに、重なっている複数の情報（第１の情報３１ａ，３１ｂ，３１ｃや第２の情報３２ａ，３２ｂ，３２ｃ）を、例えば、表側から順次入れ替わるようにアニメーション表示することができる。
【００６９】
このように、第１の情報３１や第２の情報３２を、必要に応じて動的にアニメーション表示することで、より多くの情報表示が可能になるとともに、注目度も高めることができる。
【００７０】
次に、図１０に示す例について説明する。図１０に示す情報画像は、情報表示装置としても機能するアナログ時計１の表示画面内に表示される。ここで示したアナログ時計１は、例えば正方形の液晶画面を表示画面として前面に備えたものである。表示画面が矩形形状であるため、第２の表示領域２２は環帯状ではなく、比較的広い表示面積を有する。
【００７１】
かかる表示画面に時針１１や分針１２などを有するアナログ時計画像が表示されるとともに、第１の表示領域２１に第１の情報３１が、第２の表示領域２２には第２の情報３２が表示される。このように、情報表示装置４として、例えば表示部５０が前面に設けられたアナログ時計型とすれば、壁掛け時計のような時計機能にプラスして、複数の時刻関連情報を容易に視認することが可能となる。
【００７２】
また、この図１０に示した例では、第１の情報３１が第１の表示領域２１の中を起点３１ａとした吹き出し３１ｂが第２の表示領域２２まで延在している。このように、他方の領域に対応した情報を当該他方の領域から一方の領域まで引き出して表示するなど、第１の表示領域２１と第２の表示領域２２との間で、相対的に広い表示領域を有効利用することもできる。
【００７３】
なお、図１０においては、第１の情報３１については吹き出しの中はテキスト表示としているが、ピクトグラムやアイコンなど、適宜図案化したものを用いることができる。また、ここで三角の記号で代用した第２の情報３２についても、適宜の態様で表示可能である。
【００７４】
さらに、図１０に示した例では、例えば光や色の濃淡などで過去と未来とが識別できる時間環部２４を設けている。時間環部２４は、所定の幅を有する帯状に形成されており、時刻を示す目盛の外側に、時針１１や分針１２の中心を共有する同心円的に設けられる。そして、現時刻から１２時間後までが明から暗へと漸次変化するようにグラデーション表示される。このように、現時刻を境にして、表示される情報がどの程度先のものなのかが視覚的に容易に認識でき、しかも、アナログ時計１としての意匠性も高まるため、表示される情報画像とともに、時計としての付加価値を大きく高めることができる。
【００７５】
［５．他の実施形態］
スマートフォンなどの端末装置を表示装置５として利用可能であることについては先に述べたが、これら端末装置は、いわゆる表示部一体型の情報表示装置として用いることもできる。以下、他の実施形態として、スマートフォンなどの端末装置を情報表示装置として用いた場合について説明する。図１１および図１２は、他の実施形態に係る情報表示装置による情報表示態様の一例を示す説明図である。
【００７６】
スマートフォンなどでは、電子メール、ショートメッセージサービス（ＳＭＳ）、拡張メッセージサービス（ＥＭＳ）などを利用することが多い。これらを利用して、複数の相手と手軽にコミュニケーションをとることができる。そのため、短時間の間に何通ものメッセージ交換が行われることも多い。
【００７７】
そこで、ここでは、図１１に示すように、スマートフォン５００の表示画面２００内にメッセージおよびそのやりとりに関する情報を第１の情報３１、第２の情報３２として表示する場合について説明する。
【００７８】
図１１において、時針１１に対応する第１の情報３１としては、メッセージ件数を数字で表示し、分針１２に対応する第２の情報３２としては、実際のメッセージが含まれる吹き出しを表示するようにしている。すなわち、第１の情報３１は、１時間毎の時間帯に含まれるメッセージ件数を示し、第２の情報３２は、現在時刻（ここでは１０時４０分）を含む１時間の時間帯の範囲で示され、１０時何分にメッセージのやりとりがなされたかを直感的に把握することができる。この場合も、図９を用いて説明したように、情報が密集している場合は、複数の第２の情報３２をずらし重ねして表示することができる。また、第１の情報３２については、数字そのものではなく、その数量の大きさをグラフ化して表示することもできる。
【００７９】
なお、第２の情報３２としての吹き出し内には、メッセージそのものを表示する必要はない。内容を確認したいメッセージがあれば、それに対応する吹き出し部分をタップすれば、画面が切り替わって、あるいは拡大されてメッセージが表示されるようにしておくとよい。
【００８０】
また、同じくスマートフォン５００を情報表示装置として用いた場合、図１２に示すような態様で情報表示することができる。
【００８１】
例えば、スマートフォン５００の表示画面２００内に、第１の情報３１としてＴＶ番組表を、第２の情報３２としては、ＴＶ番組個別の内容に関する情報を表示する場合について説明する。
【００８２】
図示するように、表示画面２００における初期画面としては、第１の表示領域２１に、自分が視聴したい番組が第１の情報３１として、時針１１と関連付けられて環状に表示される。番組名の脇には、例えば放映チャンネルなどが第１の情報３１に含まれるサブ情報として併せて表示される。
【００８３】
この初期画面では、第１の情報３１のみが表示されている。そこで、ある番組についてより詳しい情報を知りたい場合、その番組名をタップすることにより、第２の表示領域２１に、第１の情報３１である番組の詳しい内容である第２の情報３２が表示される。
【００８４】
図示するように、例えば、第１の情報３１である複数の番組名の中からワイドショーを選択してタップすると、第１の表示領域２１においては他の番組名は消えてワイドショーのみが表示され、現在、ワイドショーが選択されていることが明瞭になる。
【００８５】
そして、第１の表示領域２１の外側に位置する第２の表示領域２２に、ワイドショーの内容に関する詳しい情報が第２の情報３２として表示される。例えば、図示するように、今回の特集は何なのか、ゲストは誰なのか、ワイドショー内で何時何分頃にどのようなコーナーがあるのか、などの情報が表示される。なお、ここでは、第２の情報３２が見易くなるように、第２の表示領域２２を左側領域２２ａと右側領域２２ｂとに左右分割している。
【００８６】
このように、情報表示装置４においては、時針１１に対応する第１の情報３１と分針１２に対応する第２の情報３２とを、第１の表示領域２１あるいは第２の表示領域２２に選択的に表示させることも可能である。
【００８７】
［６．ハードウェア構成］
なお、実施形態における情報表示装置４やプロジェクタ装置７は、例えば、図１３に示すような構成のコンピュータ９０によって実現される。図１３は、情報表示装置４の機能を実現するコンピュータ９０の一例を示すハードウェア構成図である。
【００８８】
コンピュータ９０は、ＣＰＵ（Central  Processing  Unit）９１、ＲＡＭ（Random  Access  Memory）９２、ＲＯＭ（Read  Only  Memory）９３、ＨＤＤ（Hard  Disk  Drive）９４、通信インターフェース（Ｉ／Ｆ）９５、入出力インターフェース（Ｉ／Ｆ）９６、およびメディアインターフェース（Ｉ／Ｆ）９７を備える。
【００８９】
ＣＰＵ９１は、ＲＯＭ９３またはＨＤＤ９４に格納されたプログラムに基づいて動作し、各部の制御を行う。ＲＯＭ９３は、コンピュータ９０の起動時にＣＰＵ９１によって実行されるブートプログラムや、コンピュータ９０のハードウェアに依存するプログラム等を格納する。
【００９０】
ＨＤＤ９４は、ＣＰＵ９１によって実行されるプログラムおよび当該プログラムによって使用されるデータ等を格納する。通信インターフェース９５は、第１情報取得部４１２ａや第２情報取得部４１２ｂに対応し、通信ネットワーク６を介して他の機器からデータを受信してＣＰＵ９１へ送り、ＣＰＵ９１が生成したデータを、通信ネットワーク６を介して他の機器へ送信することができる。
【００９１】
ＣＰＵ９１は、入出力インターフェース９６を介して、ディスプレイやプリンタ等の出力装置、および、キーボードやマウス等の入力装置を制御する。ＣＰＵ９１は、入出力インターフェース９６を介して、入力装置からデータを取得する。また、ＣＰＵ９１は、生成したデータを、入出力インターフェース９６を介して出力装置へ出力する。
【００９２】
メディアインターフェース９７は、記録媒体９８に格納されたプログラムまたはデータを読み取り、ＲＡＭ９２を介してＣＰＵ９１に提供する。ＣＰＵ９１は、当該プログラムを、メディアインターフェース９７を介して記録媒体９８からＲＡＭ９２上にロードし、ロードしたプログラムを実行する。記録媒体９８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００９３】
コンピュータ９０が情報表示装置４として機能する場合、コンピュータ９０のＣＰＵ９１は、ＲＡＭ９２上にロードされたプログラムを実行することにより、表示制御部４１１、第１情報取得部４１２ａ、第２情報取得部４１２ｂの各機能を実現する。また、ＨＤＤ９４は、記憶部４２の機能を実現し、各種のプログラム４２１や画像データ４２２などが格納される。
【００９４】
コンピュータ９０のＣＰＵ９１は、これらのプログラムを、記録媒体９８から読み取って実行するが、他の例として、他の装置から、通信ネットワーク６を介してこれらのプログラムを取得してもよい。
【００９５】
［７．効果］
上述したように、実施形態に係る情報表示装置４は、第１の時刻針（例えば時針１１）および第２の時刻針（例えば分針１２）と、第１の情報取得手段（例えば第１情報取得部４１２ａ）および第２の情報取得手段（例えば第２情報取得部４１２ｂ）と、第１および第２の情報表示手段（例えば表示装置５、表示部５０、表示画面２００）とを備える。第１および第２の時刻針は、互いに異なる単位で時刻を指し示し、かつ、それぞれ同軸で回転する。第１の情報取得手段は、前記第１の時刻針に対応する第１の情報を取得する。第２の情報取得手段は、前記第２の時刻針に対応する第２の情報を取得する。第１の情報表示手段は、前記第１の情報を、前記第１の時刻針に対応する第１の表示領域に表示する。第２の情報表示手段は、前記第２の情報を、前記第２の時刻針に対応する第２の表示領域に表示する。
【００９６】
かかる構成としたことにより、情報表示装置４は、複数の時刻関連情報を、時刻針に対応させて直感的に認識できるように表示することができる。したがって、時刻針に関連させた情報の発信力を向上させることができる。
【００９７】
また、上述の情報表示装置４において、第１の表示領域２１は、第１の時刻針の先端が描く円軌跡の内側に設けられ、第２の表示領域２２は、第１の表示領域２１の外側に設けられるものとした。
【００９８】
したがって、時刻針と、これに関連する情報を表示する領域とを視覚的に容易に認識することができる。すなわち、複数の情報が表示されていても、例えば時針１１に関連する情報と分針１２に関連する情報との識別が容易となる。
【００９９】
また、上述の情報表示装置４において、第１の情報３１と第２の情報３２とは同一のカテゴリに含まれることとした。
【０１００】
これにより、同じカテゴリに含まれる情報について、異なった切り口で区分された第１の情報３１と第２の情報３２とに分けて情報表示することができるため、情報の理解度を深めることができる。
【０１０１】
また、上述の情報表示装置４において、第１の情報３１と第２の情報３２とは、互いに異なる形態で表示されることとした。
【０１０２】
そのため、同時に複数の情報が表示されている中で、第１の情報３１と第２の情報３２との識別性や視認性が向上する。なお、情報の表示形態としては、テキスト表示、図案化表示を含め、適宜用いることができる。
【０１０３】
また、上述の情報表示装置４において、表示部５０と、第１および第２の時刻針（例えば時針１１および分針１２）を有するアナログ時計画像と、第１の表示領域２１に第１の情報３1が重畳し、第２の表示領域２２に第２の情報３２が重畳する情報画像とを生成し、表示部５０に表示する制御部４１とを備える構成とした。
【０１０４】
例えば、表示部５０を、他の機能部の共通の筐体に一体的に備えた情報表示装置４とすれば、スタンドアローンでの利用で、複数の時刻関連情報を簡便に得ることができる。また、表示部５０が前面に設けられたアナログ時計型の情報表示装置４とすれば、壁掛け時計のような時計機能にプラスして、複数の時刻関連情報を容易に視認することが可能となる。
【０１０５】
また、情報表示装置４として、互いに異なる時間単位で時刻を指し示し、かつ、それぞれ同軸で回転する第１および第２の時刻針（例えば時針１１および分針１２）を有するアナログ時計１に向けて所定の情報画像を投射するプロジェクタ装置７を提供することができる。
【０１０６】
したがって、家屋内の壁面を表示部の一部として広く使用することができる。また、必要に応じて情報表示を行うとともに、一般のアナログ式壁掛け時計上に情報が表示されるため、いわゆるアート的な３Ｄマッピングの良さを取り入れつつ、より生活に密着した有用なマッピングとして利用することができる。
【０１０７】
［８．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０８】
また、上述した情報表示装置４では、第１の時刻針を時針１１、第２の時刻針を分針１２として説明したが、これらを入れ替えても構わない。また、時針１１、分針１２のみならず、秒針を備えた構成であってもよい。そして、その際に、秒針に対応する情報を必要に応じて表示してもよい。
【０１０９】
ところで、前述したように、情報表示装置４やプロジェクタ装置７において、表示処理開始信号や表示処理終了信号の入力受付については、音声スイッチなどでもよいとしたが、かかる音声スイッチに、さらに音声認識の機能を付与させることもできる。かかる構成により、ユーザの音声による指示に基づいて、第１、第２の表示領域２１，２２や第１、第２の情報３１．３２を示す画面を切り替えることもできる。
【０１１０】
例えば、情報表示装置４やプロジェクタ装置７は、“天気”というユーザの発声に反応して、図１や図６に示すような天気予報に関する情報を表示する。そして、このように天気予報に関する情報が表示されているときに、“電車”などと発声すると、それに反応して電車の発車時刻などを含む路線情報に切り替わるようにすることができる。
【符号の説明】
【０１１１】
１  アナログ時計
２  情報表示領域
４  情報表示装置
５  表示装置
７  プロジェクタ装置
１１  時針（第１の時刻針）
１２  分針（第２の時刻針）
２１  第１の表示領域
２２  第２の表示領域
３１  第１の情報
３２  第２の情報
４１  制御部
７０  投射部
７１  制御部
【図１】
0006320259.tif 000002
【図２】
0006320259.tif 000003
【図３Ａ】
0006320259.tif 000004
【図３Ｂ】
0006320259.tif 000005
【図４】
0006320259.tif 000006
【図５】
0006320259.tif 000007
【図６】
0006320259.tif 000008
【図７】
0006320259.tif 000009
【図８】
0006320259.tif 000010
【図９】
0006320259.tif 000011
【図１０】
0006320259.tif 000012
【図１１】
0006320259.tif 000013
【図１２】
0006320259.tif 000014
【図１３】
0006320259.tif 000015